(57)【要約】【課題】新たに接続される外部入力機器の画面上に表示するときであっても、ズーム倍率設定を等倍にし、画面上に現在の設定倍率を表示してユーザーに知らせる。【解決手段】外部入力機器から入力される表示画像を受信する画像受信部１１６と、新たに接続された上記外部入力機器からの表示画像に、描画画像および操作メニュー画像を配置して合成画像を作成する画像合成部１２３と、画像受信部１１６から新たな表示画像が入力された際に、上記合成画像を等倍にして表示するレイアウト管理部１２４と、を備える。【選択図】図３
2017016003.tif 000002
【特許請求の範囲】
【請求項１】
外部入力機器から入力される表示画像を受信する画像受信部と、
新たに接続された前記外部入力機器からの表示画像に、描画画像および操作メニュー画像を配置して合成画像を作成する画像合成部と、
前記画像受信部から新たな表示画像が入力された際に、前記合成画像を等倍にして表示するレイアウト管理部と、
を備えることを特徴とする電子情報ボード。
【請求項２】
前記レイアウト管理部は、前記合成画像に配置されている前記外部入力機器の表示画像が前記表示画像の領域を示す指標を前記合成画像に表示する制御を行うことを特徴とする請求項１に記載の電子情報ボード。
【請求項３】
前記画像受信部は、複数の外部入力機器と接続し、
前記レイアウト管理部は、前記複数の外部入力機器それぞれに対応し、前記表示画像のどの領域を前記合成画像に配置するかの管理情報を個別に保持することを特徴とする請求項１に記載の電子情報ボード。
【請求項４】
外部入力機器から入力される表示画像を受信する画像受信工程と、
新たに接続された前記外部入力機器からの表示画像に、描画画像および操作メニュー画像を配置して合成画像を作成する画像合成工程と、
前記画像受信部から新たな表示画像が入力された際に、前記合成画像を等倍にして表示するレイアウト管理工程と、
を含むことを特徴とする電子情報ボードの制御方法。
【請求項５】
外部入力機器から入力される表示画像を受信する画像受信ステップと、
新たに接続された前記外部入力機器からの表示画像に、描画画像および操作メニュー画像を配置して合成画像を作成する画像合成ステップと、
前記画像受信部から新たな表示画像が入力された際に、前記合成画像を等倍にして表示するレイアウト管理ステップと、
をコンピュータに実行させるためのプログラム。
【発明の詳細な説明】
【技術分野】
【０００１】
本発明は、電子情報ボード、電子情報ボードの制御方法、およびプログラムに関するものである。
【背景技術】
【０００２】
近年、液晶やプラズマなどのフラットパネルやプロジェクタを用いた４０インチ〜６０インチ程度のサイズの大型のディスプレイに、タッチパネルを搭載した、「電子情報ボード」が普及しつつある。電子情報ボードは、パソコンを接続することによって、接続したパソコンの画面を大きく映すことができ、企業や行政機関の会議におけるプレゼンテーション等や教育機関等で用いられている。
【０００３】
電子情報ボードは、搭載するタッチパネル機能を用いて、映されている画面にマウス操作の代わりに直接タッチすることで、画面を表示しているパソコンを操作する、タッチパネルを介したパソコン操作機能が提供されている。さらに、接続したパソコン上で動かす、電子情報ボード用のアプリケーションソフトウェアがこれらの機器と一緒に提供されている。このアプリケーションソフトウェアは、黒板の役割をする画面を提供しその上に手書き文字などをタッチパネルを介して描く機能を実現している。このアプリケーションを提供するパソコンの画面を取り込んでその上に手書きを重畳して描く機能など、タッチパネルを介した手書き機能が提供されている。
【０００４】
ここで、同時に接続できるパソコンは２台以上であり、そのうち１台を選択して画面表示する。また、アプリケーションソフトウェアでは接続したパソコンの画面をズーム・パンできる操作メニューを持っている。
【０００５】
例えば、特許文献１には、ユーザーの操作性を向上する目的で、ズームモードと非ズームモードを備えた表示装置において、ズームモードから非ズームモードへの切り替わりタイミングについて記載されている。特に、ユーザーの意に反してズームモードから非ズームモードに切り替わることがないようにしている。すなわち、ズームモードで拡大表示された状態からユーザーが縮小操作を行った場合、ズーム前の１００％（等倍）まで縮小されたら、ズームモードのままで一旦その倍率を保持して表示し続け、再度縮小操作されたら初めて非ズームモードに移行している。
【発明の概要】
【発明が解決しようとする課題】
【０００６】
しかしながら、従来の電子情報ボードにあっては、以下のような問題点があった。接続したパソコン画面をディスプレイに表示している状態で、ユーザーがズームの倍率を上げて拡大表示した後、一旦パソコンのケーブルを抜いて接続を切り、再度パソコンを接続したとき、画面表示の倍率設定が拡大のまま維持される。また、特許文献１においても、新たな外部入力があったタイミングにおいて倍率を等倍にするといった対応が考慮されてないため、前の外部入力で設定されたズーム設定が維持されることになる。
【０００７】
例えば、電子情報ボードにパソコンＡを接続し、ディスプレイにはパソコンＡの画面を表示していたとする。そこで、ズーム倍率を１００％から２００％に上げた後、パソコンＡのケーブルを抜いて接続を切り、再度同じパソコンAまたは別のパソコンＡ’を接続した場合、アプリケーション画面には倍率２００％に拡大されたパソコンＡまたはパソコンＡ’の画面が表示される。また、新たに接続したパソコンの画面をディスプレイに表示する場合、初期値として１００％（等倍）での表示を期待するのが一般的である。しかし、上記のように１００％（等倍）で表示されない場合、ユーザーは装置の不具合ではないかと勘違いしてしまう。また、表示後にわざわざズーム倍率を１００％（等倍）に設定し直す手間が発生する。
【０００８】
本発明は、上記に鑑みてなされたものであって、新たに接続される外部入力機器の画面上に表示するときであっても、ズーム倍率設定を等倍にし、画面上に現在の設定倍率を表示してユーザーに知らせることを目的とする。
【課題を解決するための手段】
【０００９】
上述した課題を解決し、目的を達成するために、本発明は、外部入力機器から入力される表示画像を受信する画像受信部と、新たに接続された前記外部入力機器からの表示画像に、描画画像および操作メニュー画像を配置して合成画像を作成する画像合成部と、前記画像受信部から新たな表示画像が入力された際に、前記合成画像を等倍にして表示するレイアウト管理部と、を備えることを特徴とする。
【発明の効果】
【００１０】
本発明は、新たに接続される外部入力機器の画面上に表示するときであっても、ズーム倍率設定を等倍にし、画面上に現在の設定倍率を表示してユーザーに知らせることができるという効果を奏する。
【図面の簡単な説明】
【００１１】
【図１】図１は、本実施の形態にかかる電子情報ボードシステムの概要を示す説明図である。
【図２】図２は、本実施の形態にかかる電子情報ボードのハードウェア構成例を示すブロック図である。
【図３】図３は、本実施の形態にかかる電子情報ボードの機能を含む構成例を示すブロック図である。
【図４】図４は、画像合成部で生成される合成画像例を示す説明図である。
【図５】図５は、拡大操作メニュー例を示す説明図である。
【図６】図６は、外部入力画像から合成画像の切り出し例を示す説明図である。
【図７】図７は、本実施の形態にかかる画像表示制御例を示すフローチャートである。
【図８】図８は、設定されている拡大率の表示例を示す説明図である。
【図９】図９は、複数の外部入力機器の表示切り替えにおける操作メニューの画面例を示す説明図である。
【図１０】図１０は、複数の外部入力機器が接続されている場合における表示切替制御例を示すフローチャートである。
【発明を実施するための形態】
【００１２】
以下に添付図面を参照して、この発明にかかる電子情報ボード、電子情報ボードの制御方法、およびプログラムの一実施の形態を詳細に説明する。
【００１３】
（実施の形態）
本発明は、外部入力のパソコン画面をディスプレイに表示する電子情報ボードシステムである。より詳細には、新たに接続したパソコンの画面をディスプレイに表示したときに、以下の２点を実施する。まず、前に接続していたパソコン画面表示のズーム倍率設定を破棄し、リセットされた１００％（等倍）で表示する。また、ディスプレイ画面に現在の設定倍率を表示することでユーザーに設定倍率を知らせる。すなわち、前に接続していたパソコン画面表示のズーム倍率の設定のまま、新たに接続したパソコン画面を表示することのないようにし、ユーザーに装置不具合と勘違いさせないとするものである。以下、具体例を挙げて説明する。なお、本明細書においてはパーソナルコンピュータを単にパソコン、またはＰＣと記述する。また、アプリはアプリケーションの略称である。
【００１４】
図１は、本実施の形態にかかる電子情報ボードシステムの概要を示す説明図である。図示の電子情報ボードシステムは、電子情報ボード１００と、ユーザーＰＣ２００ａ，２００ｂとを含んで構成されている。電子情報ボード１００およびユーザーＰＣ２００ａ，２００ｂは、それぞれケーブル２１０ａ，２１０ｂによって接続される。
【００１５】
電子情報ボード１００は、ユーザーＰＣ２００ａ，２００ｂの表示画像を表示することができるとともに、ユーザーが生成する描画画像を表示可能な装置である。また、電子情報ボード１００は、表示部１０４に対する接触によってユーザー操作によるイベントを発生させ、それに応じて表示内容を変更する。
【００１６】
ユーザーＰＣ２００ａ，２００ｂは、電子情報ボード１００に表示すべき画像を提供する。ユーザーＰＣ２００ａ，２００ｂは、画像信号を出力する端子を備えている。ユーザーＰＣ２００ａ，２００ｂの表示画像を形成する画像信号を所定のレート（例えば、毎秒３０フレーム）で電子情報ボード１１０に供給する。
【００１７】
本実施の形態では、ユーザーＰＣ２００ａ，２００ｂは、端子として出力端子（図示せず）を備えており、ケーブル２１０ａ，２１０ｂを介して画像信号を電子情報ボード１００に送信することができる。なお、この他の例として、ユーザーＰＣ２００ａ，２００ｂは、各種無線通信プロトコルに準拠した無線通信により、電子情報ボード１００に表示画像を送信してもよい。
【００１８】
図１に示す電子情報ボードシステムの例では、ユーザーＰＣ２００ａ，２００ｂとしてノート型ＰＣを採用するが、これに限定されるものではない。例えば、デスクトップ型ＰＣやタブレット型ＰＣ、ＰＤＡ、デジタルビデオカメラ、デジタルカメラ等の画像信号を供給可能な情報処理装置を採用することができる。また、図１に示す電子情報ボードシステムでは、２台のユーザーＰＣ２００ａ，２００ｂを採用するが、１台のユーザーＰＣまたは３台以上のユーザーＰＣを採用することもできる。
【００１９】
図２は、本実施の形態にかかる電子情報ボード１００のハードウェア構成例を示すブロック図である。電子情報ボード１００は、バス１１１上に、ＣＰＵ１０１、ＲＯＭ１０２、ＲＡＭ１０３、表示部１０４、外部Ｉ／Ｆ１０５、電子ペン１０６、タッチパネル１０６が接続される。外部Ｉ／Ｆ１０５は、外部入力機器（本例ではユーザーＰＣ２００ａ，２００ｂ等）との入出力の接続を可能とするインターフェイスである。
【００２０】
制御部１１０は、ＣＰＵ（Central  Processing  Unit）１０１、ＲＯＭ（Read  Only  Memory）１０２及びＲＡＭ（Random  Access  Memory）１０３を含むマイクロコンピュータシステムでなる。ＣＰＵ１０１は、ＲＯＭ１０２に格納されている制御プログラムにしたがって後述する制御を実行する。ＲＯＭ１０２は、ＣＰＵ１０１の制御プログラムが格納されている。ＲＡＭ１０３は、ＣＰＵ１０１の各制御時にワーキングメモリとして用いられる。
【００２１】
制御部１１０は、ＣＰＵ１０１、またはＭＰＵ（Micro  Processing  Unit）等の処理演算装置であり、ＷＩＮＤＯＷＳ（登録商標）シリーズ、ＵＮＩＸ（登録商標）、ＬＩＮＵＸ（登録商標）などのＯＳ（オペレーションシステム）を動作させる。これらのＯＳの管理下でＣ、Ｃ＋＋、Ｊａｖａ（登録商標）、ＪａｖａＳｃｒｉｐｔ（登録商標）、などのプログラム言語で記述されたプログラムを実行する。ＲＯＭ１０２は、ＢＩＯＳ（Basic  Input  Output  System）等のブートプログラムなどが保存される不揮発性メモリである。
【００２２】
ＲＡＭ１０３は、ＤＲＡＭやＳＲＡＭ等の主記憶装置であり、プログラムを実行するための実行空間を提供する。制御部１１０は、ソフトウェアプログラムや種々のデータなどを持続的に保持するためのハードディスクから、プログラムを読み出し、ＲＡＭ１０３に展開して実行する。
【００２３】
図３は、本実施の形態にかかる電子情報ボード１００の機能を含む構成例を示すブロック図である。本実施の形態の電子情報ボード１００は、画像入力端子１１２ａおよび画像入力端子１１２ｂを備えており、これらの端子を介してユーザーＰＣ２００ａ，２００ｂと接続される。
【００２４】
なお、電子情報ボード１００の機能の一部または全部をソフトウェアまたはハードウェアで構成してもよい。
【００２５】
画像入力端子１１２ａ，１２０ｂは、ユーザーＰＣ２００ａ，２００ｂの表示画像を形成する画像信号を受信する端子である。本例としては、画像入力端子１１２ａ，１１２ｂの形状としてＶＧＡ（Video  Graphics  Array）コネクタ、ＨＤＭＩ（登録商標）（High-Definition  Multimedia  Interface）コネクタ、ＤｉｓｐｌａｙPｏｒｔコネクタ等がある。なお、本実施の形態で示す他にさらに、Ｂｌｕｅｔｏｏｔｈ（登録商標）やＷｉ-Ｆｉ（登録商標）等の無線通信プロトコルに準拠した無線通信により、ユーザーＰＣ２００ａ，２００ｂから無線で受信してもよい。
【００２６】
本実施の形態にかかるプログラム（機能部分）には、プログラムモジュールである外部入力画像受信部１２０、アプリ画像生成部１２１、描画生成部１２２、画像合成部１２３、レイアウト管理部１２４、表示制御部１２５、イベント処理部１２６が含まれる。
【００２７】
画像取得部１１５は、ユーザーＰＣ２００ａ，２００ｂから画像信号を取得する機能手段であり、画像受信部１１６、画像切出部１１７、画像送信部１１８が含まれる。
【００２８】
画像取得部１１５は、画像受信部１１６によってユーザーＰＣ２００ａ，２００ｂから画像入力端子１１２ａ，１１２ｂを介して入力された画像信号を受信する。さらに画像取得部１１５は、画像切出部１１７でレイアウト管理部１２４から指定されたサイズに切り出し、画像送信部１１８によって外部入力画像受信部１２０へ送信する。また、画像受信部１１６は、画像信号の入力の有無を検知する機能を持ち、検知した入力有無情報をレイアウト管理部１２４に送信する。
【００２９】
画像合成部１２３は、表示部１０４に表示すべき種々の表示ウィンドウを生成する機能手段である。表示ウィンドウには、ユーザーＰＣ２００ａ，２００ｂからの画像を表示する表示ウィンドウ、ユーザーが生成する描画画像を表示する表示ウィンドウ、電子情報ボード１００の各種設定を行うためのボタンやメニュー等を表示する表示ウィンドウ、などが含まれる。画像合成部１２３はこれらの表示ウィンドウを重畳し、表示部１０４に表示する画像を生成する（図４参照）。
【００３０】
なお、ユーザーＰＣ２００ａ，２００ｂからの画像は外部入力画像受信部１２０から、ユーザーが生成する描画画像は描画生成部１２２から、電子情報ボード１００の各種設定を行うためのボタンやメニュー等はアプリ画像生成部１２１から送信される。また、ユーザーＰＣ２００ａ，２００ｂからの画像は画像切出部１１７の切り出しによって、合成時に受信する画像サイズが変わるが、画像合成部１２３では切り出し後の画像を表示ウィンドウの大きさに適合するように引き伸ばしてレイアウトする。したがって、切り出しのサイズが小さければ小さいほど、ユーザーから見れば表示部１０４でのユーザーＰＣ２００ａ，２００ｂの画像は拡大表示されることになる（図６参照）。
【００３１】
レイアウト管理部１２４は、画像合成部１２３においての各表示ウィンドウを重畳で、ユーザーＰＣ２００ａ，２００ｂからの画像を重畳するか否かを判定し、画像合成部１２３に命令を送信する。重畳の判定基準は、画像受信部１１６からの入力有無情報であり、入力有りであれば重畳し、入力無しであれば重畳しない。また、画像合成部１２３において、ユーザーＰＣ２００ａ，２００ｂからの画像をどのような拡大率でレイアウトするかを制御する。この拡大率の判断方法については、後述の図５，図７で説明する。また、拡大率の判断結果に応じて画像切出部１１７に切り出しサイズを指定する。
【００３２】
タッチパネル１０７は、表示部１０４の表示面上に一体形成されており、電子ペン１０６の接触座標を検知する機能手段である。検知した座標信号はベント処理部１２６に接触信号として送信される。
【００３３】
電子ペン１０６は、ユーザーがタッチパネル１０７を操作するのに使用するもので、ペン先が押されると無線でイベント処理部１２６に接触信号を送信する。
【００３４】
イベント処理部１２６は、タッチパネル１０７、電子ペン１０６からの座標信号，接触信号によりイベントを判断する機能手段である。イベント処理部１２６は、電子ペン１０６が表示部１０４のどの部分に接触したかでイベントを判断する。表示部１０４にはアプリ画像生成部１２１で描画されたボタンやメニューが表示されているが、電子ペン１０６がこれらボタンやメニューに接触していると判断した場合は、そのボタンやメニューの操作内容をイベントとしてレイアウト管理部１２４に送信する。また、電子ペン１０６がボタンやメニュー以外の場所に接触していると判断した場合はユーザーのペン描画と判断して描画生成部１２２で生成される描画画像に反映させる。
【００３５】
このように、画像受信部１１６は、外部入力機器（本例ではユーザーＰＣ２００ａ，２００ｂ）から入力される表示画像を受信する。また、画像合成部１２３は、新たに接続された前記外部入力機器からの表示画像に、描画画像および操作メニュー画像を配置して合成画像を作成する。また、レイアウト管理部１２４は、画像受信部１１６から新たな表示画像が入力された際に、上記合成画像を等倍にして表示する。
【００３６】
また、レイアウト管理部１２４は、上記合成画像に配置されている外部入力機器（ユーザーＰＣ２００ａ，２００ｂ）の表示画像の領域を示す指標を上記合成画像に表示する制御を行う。
【００３７】
表示制御部１２５は、表示部１０４を制御する機能手段である。表示制御部１２５は、画像合成部１２３が生成した合成画像を表示部１０４に表示する。
【００３８】
図４は、画像合成部１２３で生成される合成画像例を示す説明図である。画像合成部１２３は、図示するように、ユーザーＰＣ２００ａ（または２００ｂ）からの外部入力画像３００と、アプリ画像３０１と、描画画像３０２とを所定位置に重ね合わせて合成し、合成画像３０３を出力する。
【００３９】
図５は、拡大操作メニュー例を示す説明図である。図５の左に示す操作メニューの画面３１０は、アプリ画像生成部１２１で生成される画像に描画されている。図５の左には操作前の状態の画面３１０で、“拡大”ボタンが表示されている。“拡大”ボタンを電子ペン１０６でタッチすると右図のように拡大率を選択するメニューの画面３１２が出現する。その状態で拡大率を選択すると、イベント処理部１２６で拡大率が選択されたことを検知し、レイアウト管理部１２４に選択された拡大率の情報が送信される。レイアウト管理部１２４は、選択された拡大率をもとに画像切出部１１７に切り出しサイズの指定を行う。その結果、ユーザーＰＣ２００ａ（または２００ｂ）からの画像が拡大して表示される。
【００４０】
図６は、外部入力画像から合成画像の切り出し例を示す説明図である。すなわち、図６では、拡大率２００％と設定されたときの画像切出部１１７における切り出し画像を示す。図６において、拡大率が１００％に設定された外部入力画像４００に対して拡大率が１００％に設定された合成画像４０２を表示出力する。また、拡大率が２００％に設定された外部入力画像４０１に対して拡大率が２００％に設定された合成画像４０３を表示出力する。このように、画像切出部１１７は、拡大率２００％のときはユーザーＰＣ２００ａ（または２００ｂ）からの画像サイズに対して、１／２のサイズ（拡大率の逆数×１００）に切り出す。
【００４１】
図７は、本実施の形態にかかる画像表示制御例を示すフローチャートである。本制御は、画像受信部１１６で入力画像が検知されていない状態から開始する。まず、画像受信部１１６は、入力画像の受信の有無を検知し続け、入力画像の受信があったか否かを判断する（ステップＳ１１）。ここで画像受信部１１６において入力画像があった場合（判断、Ｙｅｓ）、入力画像の拡大率を１００％に変更し、入力された画像を表示する（ステップＳ１２）。すなわち、設定されている拡大率を表示する（図８参照）。一方、ステップＳ１１において入力画像の受信がない場合（判断、Ｎｏ）、ステップＳ１１に戻る。
【００４２】
拡大率表示の画像は、アプリ画像生成部１２１でレイアウト管理部１２４からの拡大率情報を受信して生成される。なお、拡大率表示は一定時間経つと消える動作にしてもよい。
【００４３】
図８は、設定されている拡大率の表示例を示す説明図である。図８では、前述の図７のステップＳ１２において入力画像の拡大率１００％を表示画像４０４に出力表示する。
【００４４】
したがって、上述してきた実施の形態では、新たに接続したパソコンの画面をディスプレイに表示したとき、ズーム倍率設定を１００％にリセットし、ディスプレイ画面に現在の設定倍率を表示することでユーザーに設定倍率を知らせる。これにより、新たに接続したパソコンの画面をディスプレイに表示した時、ユーザーが装置不具合を疑うことを防ぎ、また、ユーザーがわざわざズーム倍率を１００％（等倍）に設定し直す手間を省くことができる。
【００４５】
次に、画像受信部１１６は、複数の外部入力機器（ユーザーＰＣ２００ａ，２００ｂ）と接続する場合について説明する。ここでは、複数の外部入力機器が接続している場合に、レイアウト管理部１２４が、複数の外部入力機器それぞれに対応し、表示画像のどの領域を合成画像に配置するかの管理情報を個別に保持する例について説明する。
【００４６】
図９は、複数の外部入力機器の表示切り替えにおける操作メニューの画面例を示す説明図である。この操作メニューはアプリ画像生成部１２１で生成される画像に描画されている。図９の左図には操作前の状態で、“入力選択”ボタンが表示されている。“入力選択”ボタンを電子ペン１０６でタッチすると図９の右図のように入力端子を選択するメニューが出現する。その状態で入力端子を選択すると、イベント処理部１２６で入力端子が選択されたことを検知し、レイアウト管理部１２４に選択された入力端子の情報が送信される。レイアウト管理部１２４は選択された入力端子情報をもとに画像受信部１１６に当該入力端子に接続されたユーザーＰＣ２００ａ（または２００ｂ）の画像を出力するよう指定する。
【００４７】
図１０は、複数の外部入力機器が接続されている場合における表示切替制御例を示すフローチャートである。なお、ここでは、ユーザーＰＣ２００ａをユーザーＰＣ  Ａとし、ユーザーＰＣ２００ｂをユーザーＰＣ  Ｂと表記する。本例では、表示部１０４にユーザーＰＣ  Ａからの画像を表示していた状態で開始する。まず、イベント処理部１２６は、ユーザーＰＣ  Ａから入力選択の変化の有無を検知し続け、入力の選択がユーザーＰＣ  Ｂに変化したか否かを判断する（ステップＳ２１）。ここで、ユーザーＰＣ  Ａから入力選択がユーザーＰＣ  Ｂに変化した場合（判断、Ｙｅｓ）、レイアウト管理部１２４は、ユーザーＰＣ  Ａの画像表示で設定されていた拡大倍率ａをＲＡＭ１０３の記憶領域に記憶する（ステップＳ２２）。続いて、ＲＡＭ１０３内の別の記憶領域に格納されたユーザーＰＣ  Ｂの拡大倍率ｂを読み出す（ステップＳ２３）。続いて、レイアウト管理部１２４は、画像受信部１１６に当該入力端子にユーザーＰＣ  Ｂの画像を出力するよう指定し、画像切出部１１７には設定拡大倍率ｂに応じた切り出しサイズを指定する（ステップＳ２４）。
【００４８】
したがって、複数のユーザーＰＣ  Ａ，Ｂを同時に接続し、ディスプレイ上のメニューでユーザーが表示するユーザーＰＣを切り替えた場合、ユーザーＰＣ  Ａ，ユーザーＰＣ  Ｂでそれぞれ拡大倍率を保持することでユーザーの操作性を向上できる。例えば、ユースケースとして、ユーザーＰＣ  Ａ，ユーザーＰＣ  Ｂを同時接続して、それを頻繁に切り替えて表示する。この場合、ユーザーはユーザーＰＣ  Ａの表示で設定した拡大倍率とユーザーＰＣ  Ｂの表示で設定した拡大倍率はそれぞれで保持したいのが一般的である。よって、そのユーザーの要望に沿った動作が可能になる。
【００４９】
ところで、本実施の形態の電子情報ボード１００で実行されるプログラムは、ＲＯＭ１０２等に予め組み込まれて提供される。また、上記プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供してもよい。
【００５０】
さらに、本実施の形態で実行されるプログラムを、インターネット等のネットワークに接続されたコンピュータ上に格納し、ネットワーク経由でダウンロードさせることにより提供するように構成してもよい。また、本実施の形態で実行されるプログラムをインターネット等のネットワーク経由で提供または配布するように構成してもよい。
【００５１】
本実施の形態で実行されるプログラムは、上述した各部を含むモジュール構成となっている。実際のハードウェアとしてはＣＰＵ（プロセッサ）１０１が上記ＲＯＭ１０２からプログラムを読み出して実行することにより上記各部が主記憶装置上にロードされ、各部が主記憶装置上に生成されるようになっている。
【００５２】
なお、上述してきた実施の形態は本発明を実現するための一例として提示したものであり、発明の範囲を限定することは意図しない。これらの新規な実施の形態は、その他の様々な形態で実施されることが可能であり、発明の要旨を逸脱しない範囲で、種々の省略、置き換え、変更を行うことができる。また、これら実施の形態やその変形は、発明の範囲や要旨に含まれるとともに、特許請求の範囲に記載された発明とその均等の範囲に含まれる。
【符号の説明】
【００５３】
１００  電子情報ボード
１０１  ＣＰＵ
１０２  ＲＯＭ
１０３  ＲＡＭ
１０４  表示部
１０５  外部Ｉ／Ｆ
１０６  電子ペン
１０７  タッチパネル
１１０  制御部
１１５  画像取得部
１１６  画像受信部
１１７  画像切出部
１１８  画像送信部
１２０  外部入力画像受信部
１２１  アプリ画像生成部
１２２  描画生成部
１２３  画像合成部
１２４  レイアウト管理部
１２５  表示制御部
１２６  イベント処理部
【先行技術文献】
【特許文献】
【００５４】
【特許文献１】特開２００７−７１９０１号公報
【図１】
2017016003.tif 000003
【図２】
2017016003.tif 000004
【図３】
2017016003.tif 000005
【図４】
2017016003.tif 000006
【図５】
2017016003.tif 000007
【図６】
2017016003.tif 000008
【図７】
2017016003.tif 000009
【図８】
2017016003.tif 000010
【図９】
2017016003.tif 000011
【図１０】
2017016003.tif 000012